【手続補正書】
【提出日】平成16年12月13日(2004.12.13)
【手続補正１】
【補正対象書類名】明細書
【補正対象項目名】発明の名称
【補正方法】変更
【補正の内容】
【発明の名称】カメラシステム、レンズ及びカメラ
【手続補正２】
【補正対象書類名】明細書
【補正対象項目名】特許請求の範囲
【補正方法】変更
【補正の内容】
【特許請求の範囲】
【請求項１】
撮影画面内の複数の異なる領域で焦点検出可能な焦点検出手段を有するカメラと、焦点検出可能な複数の異なる領域の位置データを記憶する記憶手段を有するレンズとからなり、該カメラとレンズ間で情報通信可能なカメラシステムにおいて、
前記レンズは前記記憶手段に記憶された領域の位置データ及び前記レンズの状態を表す情報に基づいて前記記憶された複数の領域のうち焦点検出可能な領域を判定し、前記カメラに焦点検出可能範囲データを送信する焦点検出可能範囲判定手段を有することを特徴とするカメラシステム。
【請求項２】
前記焦点検出可能範囲判定手段は、前記レンズの焦点距離の状態、エクステンダー取り付け時の焦点距離可変倍率の状態、またはマクロレンズ装着時の距離情報を検出し、前記焦点検出可能範囲データを生成することを特徴とする請求項１記載のカメラシステム。
【請求項３】
撮影画面内の複数の異なる領域で焦点検出可能な焦点検出手段を有するカメラに装着可能なレンズにおいて、
焦点検出可能な複数の領域の位置データを予め記憶した記憶手段と、
レンズの状態に基づいて前記記憶された位置データから実際に焦点検出が可能である領域を判定し、前記カメラへ前記判定結果を出力する焦点検出可能範囲判定手段とを有したことを特徴とするレンズ。
【請求項４】
前記焦点検出可能範囲判定手段は、前記レンズの焦点距離の状態、エクステンダー取り付け時の焦点距離可変倍率の状態、またはマクロレンズ装着時の距離情報を検出し、前記判定結果を生成することを特徴とする請求項３記載のレンズ。
【請求項５】
焦点検出可能な複数の領域の位置データを予め記憶した記憶手段と、レンズの状態に基づいて前記記憶された位置データから実際に焦点検出が可能である領域を判定し、カメラへ前記判定結果を出力する焦点検出可能範囲判定手段とを有したレンズを装着可能なカメラであって、
前記判定結果に基づいて決定された撮影画面内の領域で焦点検出可能な焦点検出手段を有するカメラ。
【請求項６】
前記焦点検出可能範囲判定手段は、前記レンズの焦点距離の状態、エクステンダー取り付け時の焦点距離可変倍率の状態、またはマクロレンズ装着時の距離情報を検出し、前記判定結果を生成することを特徴とする請求項５記載のカメラ。
【手続補正３】
【補正対象書類名】明細書
【補正対象項目名】０００１
【補正方法】変更
【補正の内容】
【０００１】
【発明の属する技術分野】本発明は、撮影画面内の複数の領域で焦点検出を行う機能を備えたカメラシステム、レンズ及びカメラの改良に関するものである。
【手続補正４】
【補正対象書類名】明細書
【補正対象項目名】０００６
【補正方法】変更
【補正の内容】
【０００６】
（発明の目的）本発明の第１の目的は、焦点検出手段での焦点検出能力を最大限に生かすことのできるカメラシステム及びカメラを提供しようとするものである。
【手続補正５】
【補正対象書類名】明細書
【補正対象項目名】０００７
【補正方法】変更
【補正の内容】
【０００７】
本発明の第２の目的は、カメラ側に備わった焦点検出手段での焦点検出能力を最大限に生かすことのできるレンズを提供しようとするものである。
【手続補正６】
【補正対象書類名】明細書
【補正対象項目名】０００８
【補正方法】変更
【補正の内容】
【０００８】
【課題を解決するための手段】上記第１の目的を達成するために、請求項１及び２記載の本発明は、撮影画面内の複数の異なる領域で焦点検出可能な焦点検出手段を有するカメラと、焦点検出可能な複数の異なる領域の位置データを記憶する記憶手段を有するレンズとからなり、該カメラとレンズ間で情報通信可能なカメラシステムにおいて、前記レンズが前記記憶手段に記憶された領域の位置データ及び前記レンズの状態を表す情報に基づいて前記記憶された複数の領域のうち焦点検出可能な領域を判定し、前記カメラに焦点検出可能範囲データを送信する焦点検出可能範囲判定手段を有するカメラシステムとするものである。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
上記第２の目的を達成するために、請求項３及び４記載の本発明は、撮影画面内の複数の異なる領域で焦点検出可能な焦点検出手段を有するカメラに装着可能なレンズにおいて、焦点検出可能な複数の領域の位置データを予め記憶した記憶手段と、レンズの状態に基づいて前記記憶された位置データから実際に焦点検出が可能である領域を判定し、前記カメラへ前記判定結果を出力する焦点検出可能範囲判定手段とを有したレンズとするものである。
【手続補正９】
【補正対象書類名】明細書
【補正対象項目名】００１１
【補正方法】変更
【補正の内容】
【００１１】
上記第１の目的を達成するために、請求項５及び６記載の本発明は、焦点検出可能な複数の領域の位置データを予め記憶した記憶手段と、レンズの状態に基づいて前記記憶された位置データから実際に焦点検出が可能である領域を判定し、カメラへ前記判定結果を出力する焦点検出可能範囲判定手段とを有したレンズを装着可能なカメラであって、前記判定結果に基づいて決定された撮影画面内の領域で焦点検出可能な焦点検出手段を有するカメラとするものである。
【手続補正１０】
【補正対象書類名】明細書
【補正対象項目名】００１６
【補正方法】変更
【補正の内容】
【００１６】
カメラ本体１０１内には、電気回路部１０３、及び、カメラ本体１０１内の各部の電源及び交換レンズ１０２側の電源ともなる電源１１０を有している。また、前記電気回路部１０３内には、交換レンズ１０２を通ってきた光の量を測定するための測光部１０４，画面内の複数の焦点検出点において焦点検出情報を検出する焦点検出部１０５，フィルムを適当な時間露光するためのシャッタ１０６，フィルムの巻き上げ、巻き戻しを行うための給送チャージ系１０７、及び、カメラ内の制御を行うカメラ内ＣＰＵ１０８、及び、交換レンズ１０２側とのシリアル通信を行うための通信手段１０９が備わっている。
【手続補正１１】
【補正対象書類名】明細書
【補正対象項目名】００２１
【補正方法】変更
【補正の内容】
【００２１】
１１１は交換レンズ１０２中のフォーカシングレンズ、１１２は絞り、１１３はオートフォーカスとマニュアルフォーカスを切り換えるＡ／Ｍスイッチである。１１４は交換レンズ１０２内の電気回路部であり、前記Ａ／Ｍスイッチ１１３の状態を検知するためのＡ／Ｍスイッチ検知部１１５，カメラ本体１０１側との間でシリアル通信を行うための通信手段１１６，交換レンズ１０２内の制御を行うレンズ内ＣＰＵ１１７，フォーカシングレンズ１１１の駆動制御を行うためのレンズ駆動制御部１１８，フォーカシングレンズ１１１を駆動するためのレンズ駆動用モータ１１９，絞りの駆動制御を行うための絞り制御部１２０、及び、絞りを駆動するための絞り駆動用モータ１２１が備わっている。なお、前記レンズ内ＣＰＵ１１７は、カメラ本体１０１側の焦点検出部１０５において焦点検出を行うことの出来る焦点検出点の各位置を記憶した記憶部を有しており、この情報に基づいて後述する様に焦点検出可能範囲を示すデータをセットすることになる。
【手続補正１２】
【補正対象書類名】明細書
【補正対象項目名】００２２
【補正方法】変更
【補正の内容】
【００２２】
次に、上記構成のカメラシステムにおけるレンズ内ＣＰＵ１１７での主要部分の動作について、図３のフローチャートに従って説明する。なお、この実施の第１の形態では、焦点検出可能範囲が変化する場合（レンズ全体の開放ＦＮｏが変化する場合）の例として、交換レンズ１０２がマクロレンズである場合を想定している。
【手続補正１３】
【補正対象書類名】明細書
【補正対象項目名】００２３
【補正方法】変更
【補正の内容】
【００２３】
図２に示した様な多点焦点検出機能を有したカメラ本体１０１にマクロレンズである交換レンズ１０２が装着され、不図示の電源スイッチが投入されると、レンズ内ＣＰＵ１１７はステップ＃１５１より動作を開始し、まず、ステップ＃１５２において、通信手段１１６，１０９を介してカメラ内ＣＰＵ１０８へ、該交換レンズ１０２は焦点検出可能範囲を判定する手段を有していることの通信を行う。そして、次のステップ＃１５３において、マクロレンズの距離情報を確認する。これは、マクロレンズの距離情報によって開放ＦＮｏが異なり、図２に示した焦点検出点のうちどの範囲で焦点検出を行えるかが変わってくる為である。
【手続補正１４】
【補正対象書類名】明細書
【補正対象項目名】００２６
【補正方法】変更
【補正の内容】
【００２６】
また、上記ステップ＃１５６にて焦点検出不能であることを判定した場合はステップ＃１５８へ進み、ここでは上記ステップ＃１５３で得たマクロレンズの距離情報から縦目センサの全域について焦点検出可能か否かの判定を行い、焦点検出可能であればステップ＃１５９へ進み、縦目センサ全域焦点検出可能データをセットしてステップ＃１６２へと進む。
【手続補正１５】
【補正対象書類名】明細書
【補正対象項目名】００３３
【補正方法】変更
【補正の内容】
【００３３】
カメラ本体２０１内には、電気回路部２０３、及び、カメラ本体２０１内の各部の電源及び交換レンズ２０２側の電源ともなる電源２１０を有している。また、前記電気回路部２０３内には、交換レンズ２０２を通ってきた光の量を測定するための測光部２０４，画面内の複数の焦点検出点において焦点検出情報を検出する焦点検出部２０５，フィルムを適当な時間露光するためのシャッタ２０６，フィルムの巻き上げ、巻き戻しを行うための給送チャージ系２０７、及び、カメラ内の制御を行うカメラ内ＣＰＵ２０８、及び、交換レンズ２０２側とのシリアル通信を行うための通信手段２０９が備わっている。
【手続補正１６】
【補正対象書類名】明細書
【補正対象項目名】００３５
【補正方法】変更
【補正の内容】
【００３５】
２１１は交換レンズ２０２中のフォーカシングレンズ、２１２は絞り、２１３はオートフォーカスとマニュアルフォーカスを切り換えるＡ／Ｍスイッチである。２１４はエクステンダー２２４が装着されているかどうかを検知するエクステンダー検知手段、２１５は交換レンズ２０２内の電気回路部であり、ここには前記Ａ／Ｍスイッチ２１３の状態を検知するためのＡ／Ｍスイッチ検知部２１６，エクステンダー２２４が装着されている場合に、装着されている該エクステンダーの種類を判定するエクステンダー判定手段２１７，交換レンズ２０２内の制御を行うレンズ内ＣＰＵ２１８，カメラ本体側との間でシリアル通信を行うための通信手段２１９，フォーカシングレンズ２１１の駆動制御を行うためのレンズ駆動制御部２２０，フォーカシングレンズ２１１を駆動するためのレンズ駆動用モータ２２１，絞りの駆動制御を行うための絞り制御部２２２、及び、絞りを駆動するための絞り駆動用モータ２２３が備わっている。なお、前記レンズ内ＣＰＵ２１８は、カメラ本体２０１側の焦点検出部２０５において焦点検出を行うことの出来る焦点検出点の各位置を記憶した記憶部を有しており、この情報に基づいて後述する様に焦点検出可能範囲を示すデータをセットすることになる。
【手続補正１７】
【補正対象書類名】明細書
【補正対象項目名】００３８
【補正方法】変更
【補正の内容】
【００３８】
図２に示した様な多点焦点検出手段を内蔵したカメラ本体２０１に交換レンズ２０２が装着され、不図示の電源スイッチが投入されると、レンズ内ＣＰＵ２１８はステップ＃２５１より動作を開始し、まず、ステップ＃２５２において、カメラ本体２０１側に該交換レンズ２０２内に焦点検出可能範囲を判定する手段を備えていることを知らせるための通信を行う。そして、次のステップ＃２５３において、該交換レンズ２０２にエクステンダー２２４が装着されているか否かの判定を行い、装着されていればステップ＃２５５へ進むが、未装着ならばステップ＃２５４へと進み、ここではエクステンダー２２４が装着されていないので、横目センサの全域について焦点検出可能と判定し、横目センサ全域焦点検出可能データをセットしてステップ＃２５９へと進む。
【手続補正１８】
【補正対象書類名】明細書
【補正対象項目名】００４６
【補正方法】変更
【補正の内容】
【００４６】
カメラ本体３０１内には、電気回路部３０３、及び、カメラ本体３０１内の各部の電源及び交換レンズ３０２側の電源ともなる電源３１０を有している。また、前記電気回路部３０３内には、交換レンズ３０２を通ってきた光の量を測定するための測光部３０４，画面内の複数の焦点検出点において焦点検出情報を検出する焦点検出部３０５，フィルムを適当な時間露光するためのシャッタ３０６，フィルムの巻き上げ、巻き戻しを行うための給送チャージ系３０７、及び、カメラ内の制御を行うカメラ内ＣＰＵ３０８、及び、交換レンズ３０２側とのシリアル通信を行うための通信手段３０９が備わっている。
【手続補正１９】
【補正対象書類名】明細書
【補正対象項目名】００４８
【補正方法】変更
【補正の内容】
【００４８】
３１１は交換レンズ３０２中のフォーカシングレンズ、３１２はズームレンズ、３１３は絞り、３１４はズームレンズの位置を検出する為のズームブラシ、３１５はオートフォーカスとマニュアルフォーカスを切り換えるＡ／Ｍスイッチである。３１６は交換レンズ３０２内の電気回路部であり、ここには、ズームブラシ３１４の情報を元にズームレンズ３１２の位置を検出するズーム位置検出手段３１７，Ａ／Ｍスイッチ３１５の状態を検知するためのＡ／Ｍスイッチ検知部３１８，カメラ本体３０１との間でシリアル通信を行うための通信手段３１９，交換レンズ３０２内の制御を行うレンズ内ＣＰＵ３２０、フォーカシングレンズ３１１の駆動制御を行うためのレンズ駆動制御部３２１、フォーカシングレンズ３１１を駆動するためのレンズ駆動用モータ３２２、絞りの駆動制御を行うための絞り制御部３２３、及び、絞りを駆動するための絞り駆動用モータ３２４が備わっている。なお、前記レンズ内ＣＰＵ３２０は、カメラ本体３０１側の焦点検出部３０５において焦点検出を行うことの出来る焦点検出点の各位置を記憶した記憶部を有しており、この情報に基づいて後述する様に焦点検出可能範囲を示すデータをセットすることになる。
【手続補正２０】
【補正対象書類名】明細書
【補正対象項目名】００５０
【補正方法】変更
【補正の内容】
【００５０】
図２に示した様な多点焦点検出手段を内蔵したカメラ本体３０１に交換レンズ３０２が装着され、不図示の電源スイッチが投入されると、レンズ内ＣＰＵ３２０はステップ＃３５１より動作を開始し、まず、ステップ＃３５２において、カメラ本体３０１側に該交換レンズ３０２が焦点検出可能範囲を判定する手段を備えていることを知らせるための通信を行う。そして、次のステップ＃３５３へ進み、ズームブラシ３１４の状態からズーム位置検出手段３１７によりズーム位置を検出し、現在のズームポジションを確認する。
【手続補正２１】
【補正対象書類名】明細書
【補正対象項目名】００５８
【補正方法】変更
【補正の内容】
【００５８】
【発明の効果】以上説明したように、本発明によれば、焦点検出手段での焦点検出能力を最大限に生かすことができるカメラシステムまたはカメラを提供できるものである。
【手続補正２２】
【補正対象書類名】明細書
【補正対象項目名】００５９
【補正方法】変更
【補正の内容】
【００５９】
また、本発明によれば、カメラ側に備わった焦点検出手段での焦点検出能力を最大限に生かすことができるレンズを提供できるものである。